(57)【特許請求の範囲】
【請求項１】
左右のリム相互をブリッジで繋ぐと共に、各リムの内側域から上下域にかけて形成された溝にレンズの内側縁及びレンズの上下縁を嵌め込んであり、前記レンズは外側横方向にスライドさせることにより取り外せ、内側横方向にスライドさせることにより装着できるようにしてあり、溝に形成された係合突起が、レンズに形成された切欠に嵌まり込んでおり、レンズ取り外し時における抵抗を付与してあり、リムの下縁ではレンズの幅の２／３程度が溝に装着されている眼鏡であって、係合突起がリムの下縁に形成してあり、レンズに外側横方向に移動させる力を加えると、切欠と係合突起との係合が解かれると共に、レンズは外側上がりの姿勢になり、さらにレンズを移動させるとリムから外れるようにしてあることを特徴とする眼鏡。
【請求項２】
前記リムにおける鼻当て部近傍に顔面とレンズとの間に空気を流入出させるための空気流入出口を形成し、前記溝に嵌まり込んでいないレンズの周縁部と対向するリム部分に切欠を形成し、空気流入出口から流入してきた空気が前記切欠から排出されるようにしてあることを特徴とする請求項１記載の眼鏡。
【発明の詳細な説明】
【０００１】
【発明の属する技術分野】
この発明は、二眼レンズ（左右別体型レンズ）を備える眼鏡、特にサングラスに関するものである。
【０００２】
【従来の技術】
近年、目的に応じて左右の二つのレンズを交換できるサングラスが市場に出回っている。この種のサングラスとしては、例えば図６に示すようなものがあり、このものは、同図に示すように、リム90に各レンズ91の左右部分のみを保持するレンズ保持部92を具備させてあり、レンズの交換時にはレンズ91をレンズ保持部92に対して強制的に着脱する。
【０００３】
しかしながら、上記サングラスでは、レンズ保持部92により保持されるレンズ91部分はカーブのきつい尖った左右部分であると共に比較的広い範囲で保持されていることから、レンズの交換が困難であるという問題がある。
【０００４】
上記問題を解決する一方法として、レンズ保持部92によるレンズの保持域を狭くするか、又はレンズ保持部92を弾性体で構成することが考えられるが、これでは不用意にレンズが外れてしまう危険性がある。
【０００５】
【発明が解決しようとする課題】
そこで、この発明では、左右二枚のレンズがそれぞれ容易に交換でき且つ不用意にレンズが脱落しない眼鏡を提供することを課題とする。
【０００６】
【課題を解決するための手段】
（請求項１記載の発明）
そのため、この発明の眼鏡は、左右のリム相互をブリッジで繋ぐと共に、各リムの内側域から上下域にかけて形成された溝にレンズの内側縁及びレンズの上下縁を嵌め込んであり、前記レンズは外側横方向にスライドさせることにより取り外せ、内側横方向にスライドさせることにより装着できるようにしてあり、溝に形成された係合突起が、レンズに形成された切欠に嵌まり込んでおり、レンズ取り外し時における抵抗を付与してあり、リムの下縁ではレンズの幅の２／３程度が溝に装着されている眼鏡であって、係合突起がリムの下縁に形成してあり、レンズに外側横方向に移動させる力を加えると、切欠と係合突起との係合が解かれると共に、レンズは外側上がりの姿勢になり、さらにレンズを移動させるとリムから外れるようにしてある。
（請求項２記載の発明）
この発明の眼鏡は、上記請求項１記載の発明に関し、リムにおける鼻当て部近傍に顔面とレンズとの間に空気を流入出させるための空気流入出口を形成し、前記溝に嵌まり込んでいないレンズの周縁部と対向するリム部分に切欠を形成し、空気流入出口から流入してきた空気が前記切欠から排出されるようにしてある。
【０００７】
なお、上記発明の眼鏡の作用・効果については、以下の発明の実施の形態の欄で明らかにする。
【０００８】
【発明の実施の形態】
この発明の実施形態の眼鏡、特にサングラスを図面に従って説明する。
【０００９】
図１はこの発明の実施形態のサングラスの斜視図であり、図２は前記サングラスの正面図である。
（このサングラスの構成について）
このサングラスは、図１に示すように、レンズ３が嵌まり込んだ左右のリム１，１相互をブリッジ２で繋ぐと共に、各リム１の外端部にヒンジ４を介してツル５を折り畳み自在に取り付けてあり、前記リム１に対してレンズ３が着脱できるようにしてある。
【００１０】
リム１は、図１や図２に示すように、その内側域1aから上下域1b, 1cにかけて厚みを大きくしてあると共に当該部分にレンズ３の内側縁から上下縁部分が嵌め込まれる溝10を形成してあり、前記溝10のエンド部はレンズ３の着脱を可能にするため外側に開放するものとしている。また、このリム１には図１や図２に示すように、鼻当て部11近傍に空気流入出孔12を形成してあり、さらに上記溝10の開放部付近のリム部分（溝10に嵌まり込んでいないレンズ３の周縁部と対向するリム部分）には空気流出用切欠13, 14を形成してある。
【００１１】
ブリッジ２は、図１に示すように、リム１，１が顔面形状に倣うように平面視円弧状となるように繋いでいる。
【００１２】
レンズ３は、球面レンズであり、内側縁から上下縁部分が溝10に嵌め込まれる態様で装着してある。なお、交換できるレンズとしては透明レンズ、色違いレンズ、特定波長光をカットするレンズ、偏光レンズ、ミラーレンズ等を用意できる。
【００１３】
ツル５は、リム１やブリッジ２と同一の合成樹脂により構成されており、顔の側面形状に合わせて湾曲させてある。
【００１４】
ここで、このサングラスでは、図３に示すように、リム１に形成した溝10内に係合突起15を、レンズ３に切欠30を、それぞれ設けてあると共に、レンズ３がリム１に装着された状態では係合突起15が切欠30に嵌まり込んでおり、これによりレンズ取り外し時に抵抗を付与している。
（このサングラスでレンズ３を交換する場合について）
▲１▼．レンズ３を二本の指で摘んで外側横方向に移動させる力を加えると、切欠30と係合突起15との係合が解かれると共に図４に示すようにレンズ３は外側上がりの姿勢になり、さらにレンズ３を移動させるとリム１から外れる。
▲２▼．逆に、レンズ３を二指で摘んで溝10に少し嵌め込んだ後、内側へ押し込むと切欠30と係合突起15とが係合状態になると共にレンズ３はリム１に装着される。
▲３▼．このように、このサングラスでは、レンズ３の交換が容易にできる。
（不用意にレンズが脱落しない理由について）
このサングラスでは、従来の技術に記載したサングラスと比較してレンズ３は広い範囲で溝10に装着されており、特にリム１の下縁はその幅の２／３程度が溝10に装着されている。さらに、レンズ３がリム１に装着された状態では、レンズ３の切欠30は溝10内の係合突起15と係合状態となっている。
【００１５】
したがって、激しい運動をしたとしてもレンズ３がリム１から不用意に外れて脱落するような危険性は極めて少ないことが明らかである。
（その他の特徴点について）
このサングラスをかけてスピードスポーツを行った場合、前方からの空気は図５に示した矢印の如く空気流入出孔12から侵入し、顔面とレンズ３との間を通って切欠13, 14から排出されることになる。したがって、レンズ３の曇りは回避される。
【００１６】
【発明の効果】
この発明は上記のような構成であるから次の効果を有する。
【００１７】
発明の実施の形態の欄に記載した内容から、左右二枚のレンズがそれぞれ容易に交換でき且つ不用意にレンズが脱落しない眼鏡を提供できた。
【図面の簡単な説明】
【図１】この発明の実施形態のサングラスの斜視図。
【図２】前記サングラスの正面図。
【図３】前記サングラスのリムに形成した溝内に設けられている係合突起と、レンズに形成れた切欠を示した図。
【図４】前記リムからレンズを外す途中の状態を示した正面図。
【図５】前記サングラスにおける空気の流れの説明図。
【図６】従来のサングラスの斜視図。
【符号の説明】
１        リム
２        ブリッジ
３        レンズ
10        溝
12        空気流入出口
13        切欠
14        切欠
15        係合突起
30        切欠
【図１】
0004798321.tif 000002
【図２】
0004798321.tif 000003
【図３】
0004798321.tif 000004
【図４】
0004798321.tif 000005
【図５】
0004798321.tif 000006
【図６】
0004798321.tif 000007